【手続補正書】
【提出日】平成24年7月18日(2012.7.18)
【手続補正１】
【補正対象書類名】特許請求の範囲
【補正対象項目名】全文
【補正方法】変更
【補正の内容】
【特許請求の範囲】
【請求項１】
複数の遊技機が配列された遊技島に沿って直列的に配設される第１傾斜樋及び第２傾斜樋との間に設けられ、前記第１傾斜樋の下流端部から供給された遊技球を前記第２傾斜樋の上流端部へと搬送することが可能な球搬送装置において、
前記第１傾斜樋の下流端部から供給された遊技球を前記第２傾斜樋の上流端部に排出するために搬送する搬送部材と、
前記第１傾斜樋の下流端部に下方から臨み、該第１傾斜樋の下流端部から供給された遊技球を前記搬送部材に誘導するための供給ガイド部材と、
前記搬送部材により搬送された遊技球を前記第２傾斜樋の上流端部に誘導するための排出ガイド部材と、を備え、
前記供給ガイド部材は、当該球搬送装置から突出することで前記第１傾斜樋の端部に臨む第１状態と、当該球搬送装置の内部に進入することで前記第１傾斜樋の端部から退避する第２状態と、に変換可能に構成されることを特徴とする球搬送装置。
【請求項２】
前記排出ガイド部材は、当該球搬送装置から突出して前記第２傾斜樋の端部に臨む第１状態と、当該球搬送装置の内部に進入して前記第２傾斜樋の端部から退避する第２状態と、に変換可能に構成されることを特徴とする請求項１に記載の球搬送装置。
【請求項３】
前記供給ガイド部材は、前記第２状態においてはその一部が前記搬送部材に当接することで当該搬送部材の動作を規制可能であることを特徴とする請求項１又は２に記載の球搬送装置。
【請求項４】
前記搬送部材は、外周縁に配設された磁性体の磁力によって遊技球を外周面に吸着させて搬送する回転体であり、
前記供給ガイド部材は、遊技球の転動面のうち前記搬送部材側となる下流端部に遊技球の転動を規制する規制片が設けられ、
前記第１状態においては、前記規制片にて転動を規制された遊技球が前記回転体の外周面に吸着可能なように、前記回転体の外周面と所定隙間をもって対向した状態で前記第１補給樋から前記回転体に向けて下り傾斜して配設され、
前記第２状態においては、前記規制片が前記回転体の外周面に係合して当該回転体の回転を規制することを特徴とする請求項３に記載の球搬送装置。
【請求項５】
前記磁性体は、
前記回転体の外周縁に配設された複数の硬磁性体と、
前記硬磁性体に吸着した遊技球と磁気回路を構成する軟磁性体と、を備えることを特徴とする請求項４に記載の球搬送装置。
【請求項６】
前記硬磁性体と前記軟磁性体は、前記回転体の外周縁に、当該回転体周方向に交互に配設されることを特徴とする請求項５に記載の球搬送装置。
【請求項７】
前記回転体は、
回転軸を中心に回転するベースドラムと、
前記ベースドラムの外周に沿って配設され、前記硬磁性体を保持する磁石ガイドと、を備え、
前記ベースドラムの外周部は前記軟磁性体であり、前記磁石ガイドは非磁性体であることを特徴とする請求項６に記載の球搬送装置。
【請求項８】
前記回転体は、
回転軸を中心に回転するベースドラムと、
前記ベースドラムの外周に沿って配設され、前記硬磁性体を保持する磁石ガイドと、を備え、
前記磁石ガイドは前記軟磁性体であることを特徴とする請求項６に記載の球搬送装置。
【請求項９】
隣り合う前記硬磁性体は、Ｓ極とＮ極が対向して配設されることを特徴とする請求項５から請求項８のいずれか一つに記載の球搬送装置。
【手続補正２】
【補正対象書類名】明細書
【補正対象項目名】発明の名称
【補正方法】変更
【補正の内容】
【発明の名称】球搬送装置
【手続補正３】
【補正対象書類名】明細書
【補正対象項目名】０００１
【補正方法】変更
【補正の内容】
【０００１】
本発明は、遊技球を搬送する球搬送装置に関する。
【手続補正４】
【補正対象書類名】明細書
【補正対象項目名】０００７
【補正方法】変更
【補正の内容】
【０００７】
本発明は、上記した問題点に鑑みてなされたものであり、メンテナンスや交換の際の着脱作業を容易に行うことが可能な球搬送装置を提供することを目的とする。
【手続補正５】
【補正対象書類名】明細書
【補正対象項目名】０００８
【補正方法】変更
【補正の内容】
【０００８】
第１の発明は、複数の遊技機が配列された遊技島に沿って直列的に配設される第１傾斜樋及び第２傾斜樋との間に設けられ、前記第１傾斜樋の下流端部から供給された遊技球を前記第２傾斜樋の上流端部へと搬送することが可能な球搬送装置において、前記第１傾斜樋の下流端部から供給された遊技球を前記第２傾斜樋の上流端部に排出するために搬送する搬送部材と、前記第１傾斜樋の下流端部に下方から臨み、該第１傾斜樋の下流端部から供給された遊技球を前記搬送部材に誘導するための供給ガイド部材と、前記搬送部材により搬送された遊技球を前記第２傾斜樋の上流端部に誘導するための排出ガイド部材と、を備え、前記供給ガイド部材は、当該球搬送装置から突出することで前記第１傾斜樋の端部に臨む第１状態と、当該球搬送装置の内部に進入することで前記第１傾斜樋の端部から退避する第２状態と、に変換可能に構成されることを特徴とする球搬送装置。
【手続補正６】
【補正対象書類名】明細書
【補正対象項目名】０００９
【補正方法】変更
【補正の内容】
【０００９】
第２の発明は、前記排出ガイド部材は、当該球搬送装置から突出して前記第２傾斜樋の端部に臨む第１状態と、当該球搬送装置の内部に進入して前記第２傾斜樋の端部から退避する第２状態と、に変換可能に構成されることを特徴とする。
【手続補正７】
【補正対象書類名】明細書
【補正対象項目名】００１０
【補正方法】変更
【補正の内容】
【００１０】
第３の発明は、前記供給ガイド部材は、前記第２状態においてはその一部が前記搬送部材に当接することで当該搬送部材の動作を規制可能であることを特徴とする。
【手続補正８】
【補正対象書類名】明細書
【補正対象項目名】００１１
【補正方法】変更
【補正の内容】
【００１１】
第４の発明は、前記搬送部材は、外周縁に配設された磁性体の磁力によって遊技球を外周面に吸着させて搬送する回転体であり、前記供給ガイド部材は、遊技球の転動面のうち前記搬送部材側となる下流端部に遊技球の転動を規制する規制片が設けられ、前記第１状態においては、前記規制片にて転動を規制された遊技球が前記回転体の外周面に吸着可能なように、前記回転体の外周面と所定隙間をもって対向した状態で前記第１補給樋から前記回転体に向けて下り傾斜して配設され、前記第２状態においては、前記規制片が前記回転体の外周面に係合して当該回転体の回転を規制することを特徴とする。
【手続補正９】
【補正対象書類名】明細書
【補正対象項目名】００１４
【補正方法】変更
【補正の内容】
【００１４】
第７の発明は、前記回転体は、回転軸を中心に回転するベースドラムと、前記ベースドラムの外周に沿って配設され、前記硬磁性体を保持する磁石ガイドと、を備え、前記ベースドラムの外周部は前記軟磁性体であり、前記磁石ガイドは非磁性体であることを特徴とする。
【手続補正１０】
【補正対象書類名】明細書
【補正対象項目名】００１５
【補正方法】変更
【補正の内容】
【００１５】
第８の発明は、前記回転体は、回転軸を中心に回転するベースドラムと、前記ベースドラムの外周に沿って配設され、前記硬磁性体を保持する磁石ガイドと、を備え、前記磁石ガイドは前記軟磁性体であることを特徴とする。
【手続補正１１】
【補正対象書類名】明細書
【補正対象項目名】００１７
【補正方法】変更
【補正の内容】
【００１７】
本発明によれば、球搬送装置のメンテナンスや交換に伴う着脱時には、供給ガイド部材を球搬送装置内に進入させて傾斜樋の端部から退避させれば、球搬送装置と傾斜樋との係合を解除することができる。したがって、球搬送装置の着脱時に補給樋を遊技島から取り外す作業が不要となり、球搬送装置の着脱作業を容易に行うことができる。
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】